(57)【要約】      （修正有）【課題】省スペース化と、改修時における作業を容易とするエレベータかご床装置を得る。【解決手段】かご床枠1と、かご床枠1の下面と対向し、かご床枠1を支持するかご下枠２と、かご下枠２側もしくはかご床枠１側のいずれか一方から立設された筒状部を有する第一振れ止め８と、かご下枠２側もしくはかご床枠１側の、第一振れ止め８の他方から立設され、外面が第一振れ止め８の筒状部の内面と所定の間隔で重合するように対向する筒状部を有する第二振れ止め９と、かご床枠１側およびかご下枠２側にそれぞれ固着された防振ゴム４、１０とを備える。【選択図】図２
2006347750.tif 000002
【特許請求の範囲】
【請求項１】
かご床枠と、
前記かご床枠の下面と対向し、かご床枠を支持するかご下枠と、
前記かご下枠側もしくは前記かご床枠側のいずれか一方から立設された筒状部を有する第一振れ止めと、
前記かご下枠側もしくは前記かご床枠側の、前記第一振れ止めの他方から立設され、外面が前記第一振れ止めの筒状部の内面と所定の間隔で重合するように対向する筒状部を有する第二振れ止めと、
前記かご床枠側および前記かご下枠側にそれぞれ固着された防振体と、
を備えたことを特徴とするエレベータのかご床装置。
【請求項２】
第一振れ止めおよび第二振れ止め筒状部の対向する面の少なくともいずれか一方に緩衝材を設けたことを特徴とする請求項1記載のエレベータのかご床装置。
【請求項３】
かご床枠と、
前記かご床枠の下面と対向し、かご床枠を支持するかご下枠と、
前記かご下枠側もしくは前記かご床枠側のいずれか一方に取り付けられる取付部を有し、該取付部から立設された筒状部を有する第一振れ止めと、
前記かご下枠側もしくは前記かご床枠側の、前記第一振れ止めの取付部の他方に取り付けられる取付部を有し、該取付部から立設され、外面が前記第一振れ止めの筒状部の内面と所定の間隔で重合するように対向する筒状部を有する第二振れ止めと、
前記第一振れ止めの筒状部および前記第二振れ止めの筒状部の内側に配置され、前記第一振れ止めの取付部および第二振れ止めの取付部にそれぞれ固着された防振体とを備えたことを特徴とするエレベータのかご床装置。
【請求項４】
かご床枠と、
前記かご床枠の下面と対向し、かご床枠を支持するかご下枠と、
前記かご下枠側に下部取付部を介して取り付けられ、前記かご床枠に上部取付部を介して取付られた防振体と、
前記防振体の両側部にそれぞれ分割されて配置され、前記かご下枠側もしくは前記かご床枠側のいずれか一方に取り付けられる取付部を有し、該取付部から立設される半筒状部を有する一対の第一振れ止めと、
前記防振体の両側部にそれぞれ分割されて配置され、前記かご下枠側もしくは前記かご床枠側の、前記第一振れ止めの他方に取り付けられる取付部を有し、該取付部に立設されて、外面が前記第一振れ止めの半筒状部の内面と所定の間隔で重合するように対向する半筒状部を有する一対の第二振れ止めと、
を備えたことを特徴とするエレベータのかご床装置。
【請求項５】
かご床枠と、
前記かご床枠の下面と対向し、かご床枠を支持するかご下枠と、
前記かご下枠側に下部取付部を介して取り付けられ、前記かご床枠に上部取付部を介して取付られた防振体と、
を備えたエレベータのかご床装置において、
前記防振体の両側部にそれぞれ分割されて配置され、前記かご下枠側もしくは前記かご床枠側のいずれか一方に取り付けられる取付部を有し、該取付部から立設される半筒状部を有する一対の第一振れ止めと、
前記防振体の両側部にそれぞれ分割されて配置され、前記かご下枠側もしくは前記かご床枠側の、前記第一振れ止めの他方に取り付けられる取付部を有し、該取付部に立設されて、外面が前記第一振れ止めの半筒状部の内面と所定の間隔で重合するように対向する半筒状部を有する一対の第二振れ止めと、
を備えたことを特徴とするエレベータのかご床装置の振れ止め。
【請求項６】
かご床枠と、前記かご床枠の下面と対向し、かご床枠を支持するかご下枠と、
前記かご下枠側に下部取付部を介して取付られ、前記かご床枠に上部取付部を介して取付られた防振体とを備えた既設のエレベータのかご床装置に、前記防振体の両側部にそれぞれ分割されて配置され、前記かご下枠側もしくは前記かご床枠側のいずれか一方に取り付けられる取付部を有し、該取付部から立設される半筒状部を有する一対の第一振れ止めと、前記防振体の両側部にそれぞれ分割されて配置され、前記かご下枠側もしくは前記かご床枠側の、前記第一振れ止めの他方に取り付けられる取付部を有し、該取付部に立設されて、外面が前記第一振れ止めの半筒状部の内面と所定の間隔で重合するように対向する半筒状部を有する一対の第二振れ止めとを備える振れ止めを付加するものにおいて、
前記一対の第一振れ止めを分割し既設の防振体の両側部側から挿入するステップと、
前記一対の第一振れ止めをそれぞれの半筒状部の内面が、前記防振体の外面と所定の間隔で対向するように配置するステップと、
前記一対の第一振れ止めを、前記取付部を介してかご床枠側もしくはかご下枠側のいずれか一方に取り付けるステップと、
前記一対の第二振れ止めを分割し防振体の両側部側から挿入するステップと、
前記一対の第二振れ止めを、それぞれの半筒状部の内面が、前記一対の第一振れ止めそれぞれの半筒状部の外面と所定の間隔で対向するように配置するステップと、
前記一対の第二振れ止めを前記取付部を介してかご床枠側もしくはかご下枠側のいずれかで、前記第一振れ止めの他方に取り付けるステップと、
を備えたことを特徴とするエレベータかご床装置の改修方法。
【発明の詳細な説明】
【技術分野】
【０００１】
この発明は、防振装置及び振れ止めを備えるエレベータのかご床装置に関する。
【背景技術】
【０００２】
従来のエレベータのかご床装置においては、乗客が乗降するかご床面を支えるかご床枠と、かごを懸架するかご枠と一体のかご下枠との間に防振装置が設けられ、これによりかご床枠側ではかご下枠側で生じる振動を緩和している。さらに防振装置とは別にかご床枠とかご下枠それぞれに一対の振れ止めが設けられ、これにより横揺れ時、かご床枠とかご下枠とが横方向にずれるのを抑制している。
またエレベータのかご床装置に適用されたものではないが、巻上機の機械台に設けられた防振装置に、振れ止めと防振バネを一体的に備えた防振装置（例えば特許文献１参照）、また振れ止め内部に防振ゴムを備えた防振装置がある（例えば特許文献2参照）。
【０００３】
【特許文献１】特開2002−362860号公報（第5−6項、第4図）
【特許文献２】実開昭57−85566号公報（第4項、第3図）
【発明の開示】
【発明が解決しようとする課題】
【０００４】
従来のエレベータのかご床装置では、防振装置と振れ止めが別体であるため、占有スペースが大きく、また防振装置と振れ止めを取付ける作業時間が長いという問題点があった。
ここで特許文献１記載の防振装置をエレベータのかご床装置に適用した場合、この防振装置は振れ止めと一体化された防振コイルバネで構成され、省スペース化されているが、一般のエレベータのかご床装置では防振ゴム等の防振体はボルトにて固定されている為、既存のエレベータのかご床装置に適用できず汎用性に欠ける、また防振体を交換する際、ボルトからコイルバネを取り外せる高さまで嵩上げして、全て取り外さなければならず時間がかかるという問題がある。また、振れ止めである筒部が金属であれば、かごに乗客が乗降するときやかごが昇降する時など、かごに横揺れが生じた時、金属同士の衝突音があり、乗客に不快感を与える可能性が生じる。
特許文献2記載の防振装置をエレベータのかご床装置に適用した場合、上記の問題に加え、嵌合孔の取り付けの場合、穴及び凸部の寸法精度などによりぐらつきが生じる可能性がある。また防振ゴムと保持具を同時に取り付ける必要があり、取り付け作業時間を要する、という問題点がある。
【０００５】
この発明は、上述のような課題を解決するためになされたもので、エレベータのかご床装置の省スペース化とともに、防振ゴム、振れ止めの交換及び取付作業時間を短縮でき、これらを既存のかご床に適用できるエレベータのかご床装置を得るものである。
【課題を解決するための手段】
【０００６】
この発明に係るエレベータのかご床装置においては、かご床枠と、かご床枠の下面と対向し、かご床枠を支持するかご下枠と、かご下枠側もしくはかご床枠側のいずれか一方から立設された筒状部を有する第一振れ止めと、かご下枠側もしくはかご床枠側の第一振れ止めの他方から立設され、外面が第一振れ止めの筒状部の内面と所定の間隔で重合するように対向する筒状部を有する第二振れ止めと、かご床枠側およびかご下枠側にそれぞれ固着された防振体と、を備えたものである。
【発明の効果】
【０００７】
この発明は、エレベータかご床装置の省スペース化と、改修時における作業を容易とすることができる。
【発明を実施するための最良の形態】
【０００８】
実施の形態１． 
図１はこの発明の実施の形態１を示すエレベータのかご床装置の縦断面図、図2はエレベータのかご床装置の防振装置部分の詳細を示す縦断面図、図3は防振装置組立時を示す斜視図である。
1は乗客が乗るかご床面1cを支えるかご床枠、2は上面がかご床枠1の下面と対向するかご下枠で、エレベータかごを懸架するかご枠(図示せず)と一体である。かご床枠1とかご下枠2はそれぞれ防振装置取付穴1a及び1bと2a及び2bが設けられている。3はかご床枠1とかご下枠2の間に設けられた防振装置であり、円柱形の防振ゴム4、下板6、上板7、円筒状の第一振れ止め8、円筒状の第二振れ止め9及び緩衝材10で構成される。
下板6はその両端部分に上記かご下枠2の防振装置取付穴2a及び2bと一致するボルト取付穴6a及び6bが設けられ、それぞれと係合するボルト、ナットからなる締結部5c及び5dによりかご下枠2の上面に固定されるものである。上板7はその両端部分に上記かご床枠1の防振装置取付穴1a及び1bと一致するボルト取付穴7a及び7bが設けられ、それぞれと係合するボルト、ナットからなる締結部5a及び5bによりかご床枠1の上面に固定されるものである。円柱形の防振ゴム4は、その上下面が上板7の下面中央、下板6の上面中央それぞれと接着等により強固に固定されるものである。これによりかご床枠１とかご下枠2は防振装置3を介してボルト、ナットからなる締結部5a〜5dにより固定され、またかご床枠1とかご下枠2の間には防振の効果が生じ、かご床枠1cでは下枠2側に生じる振動は緩和される。
円筒状の第一振れ止め8は、下板6の上面中央に予め溶接等で固定されており、内周面側中心に防振ゴム4が配置されものである。円筒状の第二振れ止め9は上板7の下面中央に予め溶接等で固定されており、内周面側中心に防振ゴム4が配置されるものである。緩衝材10は円筒状の第二振れ止め9の外周面全周にわたり設けられるものである。ここで、円筒状の円筒状の第二振れ止め9の外径は円筒状の第一振れ止め8の内径よりも小さく、円筒状の第一振れ止め8の上端部分の内周面と円筒状の第二振れ止め9の下端部分の外周面は全周にわたり等隙間間隔δで対向している。
【０００９】
次に防振装置3の組立方法を図3を用いて説明する。先ず上面中央部に円筒状の第一振れ止め8が溶接固定された下板6に防振ゴム4を接着等で固定する。この時、防振ゴム4の外周面と円筒状の第一振れ止め8の内周面が全周で等間隔に対向するよう配置する。次に下面中央部に円筒状の第二振れ止め9が溶接固定された上板7を防振ゴム4の上面に接着等で固定する。この時、円筒状の第一振れ止め8の上端部の内周面と円筒状の第二振れ止め9の下端部の外周面が全周で等間隔に対向するよう配置する。次に下板6及び円筒状の第一振れ止め8側を、ボルト取付穴6a及び6bと、ボルト、ナットからなる締結部5c及び5dと係合させることでかご下枠2に固定し、上板7及び円筒状の第二振れ止め9側を、ボルト取付穴7a及び7bと、ボルト、ナットからなる締結部5a及び5bとを係合させることでかご床枠1に固定し、これにより防振装置3をかご床装置に備え付ける。
【００１０】
以上のように構成されたエレベータのかご床装置において、地震などの横揺れを受けかご床面1とかご下枠2が互いに横方向にずれるとき、予め防振装置3に取付けられた第一振れ止め8と第二振れ止め9とが接触し、その結果それぞれの隙間間隔δ以上の水平方向に振れを防止する。これによりかご床枠１の脱落、転倒を防止することができる。
【００１１】
この時、第二振れ止め9の外周に設けられた緩衝材10により、第一振れ止め8の内周と接触する際の騒音を軽減ないしは防止することができる。
【００１２】
また、従来のように防振装置と振れ止めを別々に取付けていたかご床装置に比べて省スペース化が可能となり、また部品点数削減により作業時間短縮に繋がる。
【００１３】
また、一般的に既存のかご床装置には防振装置を固定する為、かご床枠1とかご下枠2はそれぞれ防振装置取付穴1a 及び1bと2a及び2b相当のものを備えており、本実施の形態のボルト取付穴6a及び6bと7a及び7bの位置をそれぞれ前記の防振装置取付穴と一致するように設けることで、既存のエレベータのかご床装置をこの発明のエレベータのかご床装置に交換する改修作業はきわめて容易に実施することができる。
【００１４】
実施の形態２．
図4はこの発明の実施の形態2を示すエレベータかご床装置の防振装置に備わる振れ止めの斜視図、図5は防振装置を示す斜視図である。なお実施の形態１と同一又は相当部に同一記号を付しているので説明を省略する。
3aはかご床枠1とかご下枠2の間に設けられた防振装置であり、円柱形の防振ゴム4、下板6、上板7、一対の分割式第一振れ止め8a、一対の分割式第二振れ止め9a及び緩衝材10aで構成される。
下板6はその両端部分に上記かご下枠2の防振装置取付穴2a及び2bと一致するボルト取付穴6a及び6bが設けられ、それぞれと係合するボルト、ナットからなる締結部5c及び5dによりかご下枠2の上面に固定されるものである。上板7はその両端部分に上記かご床枠1の防振装置取付穴1a及び1bと一致するボルト取付穴7a及び7bが設けられ、それぞれと係合するボルト、ナットからなる締結部5a及び5bによりかご床枠1の上面に固定されるものである。円柱形の防振ゴム4は、その上下面が上板7の下面中央、下板6の上面中央それぞれと接着等により強固に固定されるものである。これによりかご床枠１とかご下枠2は防振装置3を介してボルト、ナットからなる締結部5a〜5dにより固定され、またかご床枠1とかご下枠2の間には防振の効果が生じ、かご床面1cでは下枠2側に生じる振動は緩和される。
一対の分割式第一振れ止め8aは、実施の形態1の第一振れ止め8と同形状で横方向に等2分割された半円筒部8b及び8cと、これらそれぞれの外周面下端に円周方向に延在するように一体的設けられた板部8d及び8eとから構成され、板部8d及び8eの端部それぞれに設けられた振れ止め取付穴8f及び8gが、ボルト、ナットからなる締結部5c及び5dそれぞれと係合することにより下板6の上面中央に固定されるものである。ここで半円筒部8b及び8cの内周面側中心に防振ゴム4が配置されるように、振れ止め取付穴8f及び8gの位置が設けられている。一対の分割式第二振れ止め9aは、実施の形態1の第二振れ止め9と同形状で、横方向に等2分割された半円筒部9b及び9cと、これらそれぞれの外周面上端に円周方向に延在するように一体的設けられた板部9d及び9eとから構成され、板部9d及び9eの端部それぞれに設けられた振れ止め取付穴9f及び9gが、ボルト、ナットからなる締結部5a及び5bそれぞれと係合することにより上板7の下面中央に固定される。ここで半円筒部9b及び9cの内周側中心に防振ゴム4が配置されるように、振れ止め取付穴9f及び9gの位置が設けられている。緩衝材10aは半円筒部9b及び9cの外周面全周にわたり設けられるものである。ここで、半円筒部9b及び9cの外径は半円筒部8b及び8cの内径よりも小さく、半円筒部8b及び8cの上端部分の内周面と半円筒部9b及び9cの下端部分の外周面は全周にわたり等隙間間隔δで対向している。
【００１５】
次に防振装置3aの組立方法を図5を用いて説明する。先ず下板6の上面中央部に防振ゴム4の下面を接着等で固定し、上板7の下面中央部に防振ゴム4の上面を接着等で固定する。次に一対の分割式第二振れ止め9aを防振ゴム4の両側に配置する。この時、防振ゴム4の外周面と半円筒部9b及び9cの内周面が全周で等間隔に対向するよう配置する。次に一対の分割式第一振れ止め8aを半円筒部9b及び9cの外周に配置する。この時、半円筒部8b及び8cの内周面と半円筒部9b及び9cの外周面が全周で等間隔に対向するよう配置する。次に下板6及び一対の分割式第一振れ止め8a側を、ボルト取付穴6a及び6b、及び振れ止め取付穴8f及び8gそれぞれと、ボルト、ナットからなる締結部5c、5dとを係合させることでかご床枠1に固定し、また上板7及び一対の分割式第二振れ止め9a側を、ボルト取付穴7a及び7b、及び振れ止め取付穴9f及び9gそれぞれと、ボルト、ナットからなる締結部5a、5bとを係合させることでかご床枠1に固定し、これにより防振装置3aをエレベータのかご床装置に備え付ける。
【００１６】
以上のように構成されたエレベータのかご床装置においては、実施の形態1と同様の効果を得るとともに、一対の分割式第一振れ止め8a、一対の分割式第二振れ止め9aを円筒部にて二分割し、またこれらをボルトナット5a〜5dで固定することで、分割式第一振れ止め8a、分割式第二振れ止め9aの防振装置3aへの取付及び調整を容易とすることができる。
【００１７】
また第一振れ止め8aの円筒部8b、8cは外方向に荷重がかかるため、結束バンド等の開き止めで固定することにより容易に強度を増すことができる。
【００１８】
実施の形態３．
実施の形態2では、防振装置及び振れ止めを備えたエレベータかご床装置について説明したが、この実施の形態3においては既設のエレベータかご床装置に備わる既設の防振装置をそのまま利用して振れ止め機能を追加するエレベータかご床装置の改修方法について図4及び図5を用いて説明する。なお実施の形態１と同一又は相当部に同一記号を付しているので説明を省略する。
既設のエレベータのかご床装置においては、円柱形の防振ゴム4、下板6及び上板7で構成される防振装置と、この防振装置と別体の振れ止め（図示せず）とで構成される。
下板6はその両端部分に上記かご下枠2の防振装置取付穴2a及び2bと一致するボルト取付穴6a及び6bが設けられ、それぞれと係合するボルト、ナットからなる締結部5c及び5dによりかご下枠2の上面に固定されるものである。上板7はその両端部分に上記かご床枠1の防振装置取付穴1a及び1bと一致するボルト取付穴7a及び7bが設けられ、それぞれと係合するボルト、ナットからなる締結部5a及び5bによりかご床枠1の上面に固定されるものである。円柱形の防振ゴム4は、その上下面が上板7の下面中央、下板6の上面中央それぞれと接着等により強固に固定されるものである。これによりかご床枠１とかご下枠2は防振装置3aを介してボルト、ナットからなる締結部5a〜5dにより固定され、またかご床枠1とかご下枠2の間には防振の効果が生じ、かご床面1cでは下枠2側に生じる振動は緩和される。
既設のエレベータのかご床装置の防振装置に新設される一対の分割式第一分割式振れ止め8a及び9aは、実施の形態2における一対の分割式第一振れ止め8a及び9aと同形状、同構成であり、説明を省略する。
【００１９】
次に既設のエレベータのかご床装置の防振装置に、上記の分割式振れ止めを新設する改修方法を説明する。先ずボルト、ナットからなる締結部5a〜5dを緩めて取り外し可能とする。次に一対の分割式第二振れ止め9aを分割し、それぞれを防振ゴム4の両側から挿入する。次に振れ止め取付穴9f及び9gそれぞれとボルト、ナットからなる締結部5a及び5bとを係合させ、半円筒部9b及び9cを組合せ、この内周面と防振ゴム4の外周面が全周で等間隔で対向するように一対の分割式第二振れ止め9aを配置する。次に再度ボルト、ナットからなる締結部5a及び5bを締めて一対の分割式第二振れ止め9aを固定する。次に一対の分割式一振れ止め8aを分割し、それぞれを防振ゴム4の両側から挿入する。次に振れ止め取付穴9f及び9gそれぞれとボルト、ナットからなる締結部5c及び5dとを係合させ、半円筒部8b及び8cを組合せ、この内周面と半円筒部9b及び9cの外周面が全周で等間隔に対向するよう一対の分割式第一振れ止め8aを配置する。次に再度ボルト、ナットからなる締結部5c及び5dを締めて一対の分割式の第一振れ止め8aを固定する。次に既設のエレベータかご床装置に備わる、防振装置と別体の振れ止めを撤去する。
【００２０】
以上のように構成されたエレベータのかご床装置においては、実施の形態1及び実施の形態2と同様の効果を得るとともに、一対の分割式第一振れ止め8a、一対の分割式第二振れ止め9aを円筒部にて二分割し、またこれらをボルトナット5a〜5dで固定することで、既設の昇降機にも防振ゴムを取り替えることなく既存のボルトのみで容易に取付が可能となる。
【００２１】
ところで、上記説明では、この発明の構造に円柱形の防振ゴムを使用する場合について述べたが、角柱の防振ゴムを使用できることは言うまでもない。
【図面の簡単な説明】
【００２２】
【図１】この発明の実施の形態１を示すエレベータのかご床装置の縦断面図である。
【図２】この発明の実施の形態１を示すエレベータのかご床装置の防振装置部分の縦断面図である。
【図３】この発明の実施の形態１を示す防振装置組立時の斜視図である。
【図４】この発明の実施の形態2及び実施の形態3を示すエレベータかご床装置の防振装置に備わる振れ止めの斜視図である。
【図５】この発明の実施の形態2及び実施の形態3を示す防振装置の斜視図である。
【符号の説明】
【００２３】
かご床枠、
1c  かご床面、
2  かご下枠、
1a、1b、2a、2b  防振装置取付穴、
3、3ａ  防振装置、
4  防振ゴム、
5a、5b、5c、5d  締結具、
6  下板、              
7  上板、
6a、6b、7a、7b  ボルト取付穴、
8  第一振れ止め、
9  第二振れ止め、
8a  分割式第一振れ止め、
9a  分割式第二振れ止め、
8b、8c、9b、9c、半円筒部
8d、8e、9d、9e、板部
8f、8g、9f、9g、振れ止め取付穴
10、10a  緩衝材。
【図１】
2006347750.tif 000003
【図２】
2006347750.tif 000004
【図３】
2006347750.tif 000005
【図４】
2006347750.tif 000006
【図５】
2006347750.tif 000007